【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
コンテンツデータベースに格納されている既存のＷｅｂサイト情報をＷｅｂサイト構築装置によりユーザ毎に再構築する方法であって、
前記Ｗｅｂサイト構築装置が、
前記コンテンツデータベースから再構築対象のＷｅｂサイト情報を読出し、当該Ｗｅｂサイト情報のサイトマップを画面表示する第１のステップと、
表示されたサイトマップ上においてコンテンツ管理者の指定操作を受付け、その指定操作に従い当該Ｗｅｂサイト内のページをホームページ、リンクページ、データページに分類する第２のステップと、
分類した中のデータページにコンテンツ管理者の指定操作に従いユーザ毎のアクセス権を設定する第３のステップと、
アクセス権を設定したユーザ毎のデータページに至る経路を除くサイト内の不要なリンクを削除する第４のステップと、
第４のステップのリンク削除処理で残ったリンクからユーザ毎の携帯端末向けページを作成する第５のステップと
を備えることを特徴とするＷｅｂサイトの再構築方法。
【請求項２】
前記第１のステップは、Ｗｅｂサイト構築装置の画面上のサイトマップにホームページ、リンクページ、データページをそれぞれ異なった表示形式で表示することを特徴とする請求項１に記載のＷｅｂサイトの再構築方法。
【請求項３】
前記第４のステップが、コンテンツ管理者の指示に従い既存Ｗｅｂサイト内のリンクに対して重みを設定するステップを備えることを特徴とする請求項１または２に記載のＷｅｂサイトの再構築方法。
【請求項４】
前記第４のステップが、重みを設定したリンクを含むページをＷｅｂサイト構築装置の画面上に表示するとき、重みの大きさに応じてリンクの色を変えて表示するステップを備えることを特徴とする請求項３に記載のＷｅｂサイトの再構築方法。
【請求項５】
前記第４のステップが、あるページから別のページへリンクを辿って移動するときに、その経路上にある全リンクの重みの和が最小となる経路を所定のアルゴリズムを用いて計算することによって最短経路を求めるステップを備えることを特徴とする請求項３に記載のＷｅｂサイトの再構築方法。
【請求項６】
前記第４のステップが、ホームページからアクセス権の設定されたデータページまでの最短経路を計算するステップを備えることを特徴とする請求項５に記載のＷｅｂサイトの再構築方法。
【請求項７】
前記第４のステップが、ホームページからアクセス権の設定された全てのデータページまでの最短経路上にないリンクを削除するステップを備えることを特徴とする請求項６に記載のＷｅｂサイトの再構築方法。
【請求項８】
前記第５のステップが、前記第４のステップで残ったリンクからユーザ毎のメニュー形式の携帯端末向けページを生成するステップを備えることを特徴とする請求項７に記載のＷｅｂサイトの再構築方法。
【請求項９】
前記第５のステップが、予め設定された１ページに表示するリンク数の範囲を超えたページが存在する場合、複数のページに分割するステップを備えることを特徴とする請求項１〜８のいずれか一項に記載のＷｅｂサイトの再構築方法。
【請求項１０】
前記第５のステップが、予め設定された１ページに表示するリンク数の範囲を下回る場合、類似度の高いページ同士を統合するステップを備えることを特徴とする請求項１〜９のいずれか一項に記載のＷｅｂサイトの再構築方法。
【請求項１１】
前記第５のステップにおけるページ間の類似度を、別のページからそのページへのリンク、そのページから別のページへのリンクの一致度から計算するステップを備えることを特徴とする請求項１０に記載のＷｅｂサイトの再構築方法。
【請求項１２】
コンテンツデータベースに格納されている既存のＷｅｂサイト情報をユーザ毎に再構築する装置であって、
前記コンテンツデータベースから再構築対象のＷｅｂサイト情報を読出し、当該Ｗｅｂサイト情報のサイトマップを画面表示する第１の手段と、
表示されたサイトマップ上においてコンテンツ管理者の指定操作を受付け、その指定操作に従い当該Ｗｅｂサイト内のページをホームページ、リンクページ、データページに分類する第２の手段と、
分類した中のデータページにコンテンツ管理者の指定操作に従いユーザ毎のアクセス権を設定する第３の手段と、
アクセス権を設定したユーザ毎のデータページに至る経路を除くサイト内の不要なリンクを削除する第４の手段と、
第４の手段によるのリンク削除処理で残ったリンクからユーザ毎の携帯端末向けページを作成する第５の手段と
を備えることを特徴とするＷｅｂサイトの再構築装置。
【請求項１３】
前記第１の手段が、Ｗｅｂサイト構築装置の画面上のサイトマップにホームページ、リンクページ、データページをそれぞれ異なった表示形式で表示する手段を備えることを特徴とする請求項１２に記載のＷｅｂサイトの再構築装置。
【請求項１４】
前記第４の手段が、コンテンツ管理者の指示に従い既存Ｗｅｂサイト内のリンクに対して重みを設定する手段を備えることを特徴とする請求項１２または１３に記載のＷｅｂサイトの再構築装置。
【請求項１５】
前記第４の手段が、重みを設定したリンクを含むページをサイト構築装置の画面上に表示するとき、重みの大きさに応じてリンクの色を変えて表示する手段を備えることを特徴とする請求項１４に記載のＷｅｂサイトの再構築装置。
【請求項１６】
前記第４の手段が、あるページから別のページへリンクを辿って移動するときに、その経路上にある全リンクの重みの和が最小となる経路を所定のアルゴリズムを用いて計算することによって最短経路を求める手段を備えることを特徴とする請求項１４に記載のＷｅｂサイトの再構築装置。
【請求項１７】
前記第４の手段が、ホームページからアクセス権の設定されたデータページまでの最短経路を計算する手段を備えることを特徴とする請求項１６に記載のＷｅｂサイトの再構築装置。
【請求項１８】
前記第４の手段が、ホームページからアクセス権の設定された全てのデータページまでの最短経路上にないリンクを削除する手段を備えることを特徴とする請求項１７に記載のＷｅｂサイトの再構築装置。
【請求項１９】
前記第５の手段が、前記第４の手段によるリンク削除処理で残ったリンクからユーザ毎のメニュー形式の携帯端末向けページを生成する手段を備えることを特徴とする請求項１８に記載のＷｅｂサイトの再構築装置。
【請求項２０】
前記第５の手段が、予め設定された１ページに表示するリンク数の範囲を超えたページが存在する場合、複数のページに分割する手段を備えることを特徴とする請求項１２〜１９のいずれか一項に記載Ｗｅｂサイトの再構築装置。
【請求項２１】
前記第５の手段が、予め設定された１ページに表示するリンク数の範囲を下回る場合、類似度の高いページ同士を統合する手段を備えることを特徴とする請求項１２〜２０のいずれか一項に記載のＷｅｂサイトの再構築装置。
【請求項２２】
前記ページ間の類似度を、別のページからそのページへのリンク、そのページから別のページへのリンクの一致度から計算する手段を備えることを特徴とする請求項２１に記載のＷｅｂサイトの再構築装置。
【請求項２３】
コンテンツデータベースに格納されている既存のＷｅｂサイト情報をユーザ毎に再構築するためのプログラムであって、
コンピュータを、
前記コンテンツデータベースから再構築対象のＷｅｂサイト情報を読出し、当該Ｗｅｂサイト情報のサイトマップを画面表示する第１の手段と、
表示されたサイトマップ上においてコンテンツ管理者の指定操作を受付け、その指定操作に従い当該Ｗｅｂサイト内のページをホームページ、リンクページ、データページに分類する第２の手段と、
分類した中のデータページにコンテンツ管理者の指定操作に従いユーザ毎のアクセス権を設定する第３の手段と、
アクセス権を設定したユーザ毎のデータページに至る経路を除くサイト内の不要なリンクを削除する第４の手段と、
第４の手段によるリンク削除処理で残ったリンクからユーザ毎の携帯端末向けページを作成する第５の手段と
して機能させることを特徴とするＷｅｂサイトの再構築プログラム。
【手続補正２】
【補正対象書類名】明細書
【補正対象項目名】０００８
【補正方法】変更
【補正の内容】
【０００８】
【課題を解決するための手段】
上記目的を解決するために、本発明に係る既存のＷｅｂサイトをユーザ毎に再構築する方法は、コンテンツデータベースから再構築対象のＷｅｂサイト情報を読出し、当該Ｗｅｂサイト情報のサイトマップを画面表示する第１のステップと、表示されたサイトマップ上においてコンテンツ管理者の指定操作を受付け、その指定操作に従い当該Ｗｅｂサイト内のページをホームページ、リンクページ、データページに分類する第２のステップと、分類した中のデータページにコンテンツ管理者の指定操作に従いユーザ毎のアクセス権を設定する第３のステップと、アクセス権を設定したユーザ毎のデータページに至る経路を除くサイト内の不要なリンクを削除する第４のステップと、第４のステップのリンク削除処理で残ったリンクからユーザ毎の携帯端末向けページを作成する第５のステップとを備えることを特徴とする。
また、前記第１のステップにおいて、Ｗｅｂサイト構築装置の画面上のサイトマップにホームページ、リンクページ、データページをそれぞれ異なった表示形式で表示することを特徴とする。
また、前記第４のステップが、コンテンツ管理者の指示に従い既存Ｗｅｂサイト内のリンクに対して重みを設定するステップを備えることを特徴とする。
また、前記第４のステップが、重みを設定したリンクを含むページをＷｅｂサイト構築装置の画面上に表示するとき、重みの大きさに応じてリンクの色を変えて表示するステップを備えることを特徴とする。
また、前記第４のステップが、あるページから別のページへリンクを辿って移動するときに、その経路上にある全リンクの重みの和が最小となる経路を所定のアルゴリズムを用いて計算することによって最短経路を求めるステップを備えることを特徴とする。
また、前記第４のステップが、ホームページからアクセス権の設定されたデータページまでの最短経路を計算するステップを備えることを特徴とする。
また、前記第４のステップが、ホームページからアクセス権の設定された全てのデータページまでの最短経路上にないリンクを削除するステップを備えることを特徴とする。
また、前記第５のステップが、前記第４のステップで残ったリンクからユーザ毎のメニュー形式の携帯端末向けページを生成するステップを備えることを特徴とする。
また、前記第５のステップが、予め設定された１ページに表示するリンク数の範囲を超えたページが存在する場合、複数のページに分割するステップを備えることを特徴とする。
また、前記第５のステップが、予め設定された１ページに表示するリンク数の範囲を下回る場合、類似度の高いページ同士を統合するステップを備えることを特徴とする。
また、前記第５のステップにおけるページ間の類似度を、別のページからそのページへのリンク、そのページから別のページへのリンクの一致度から計算するステップを備えることを特徴とする。
【手続補正３】
【補正対象書類名】明細書
【補正対象項目名】０００９
【補正方法】変更
【補正の内容】
【０００９】
本発明に係るＷｅｂサイトの再構築装置は、コンテンツデータベースから再構築対象のＷｅｂサイト情報を読出し、当該Ｗｅｂサイト情報のサイトマップを画面表示する第１の手段と、表示されたサイトマップ上においてコンテンツ管理者の指定操作を受付け、その指定操作に従い当該Ｗｅｂサイト内のページをホームページ、リンクページ、データページに分類する第２の手段と、分類した中のデータページにコンテンツ管理者の指定操作に従いユーザ毎のアクセス権を設定する第３の手段と、アクセス権を設定したユーザ毎のデータページに至る経路を除くサイト内の不要なリンクを削除する第４の手段と、第４の手段によるのリンク削除処理で残ったリンクからユーザ毎の携帯端末向けページを作成する第５の手段とを備えることを特徴とする。
また、前記第１の手段が、Ｗｅｂサイト構築装置の画面上のサイトマップにホームページ、リンクページ、データページをそれぞれ異なった表示形式で表示する手段を備えることを特徴とする。
また、前記第４の手段が、コンテンツ管理者の指示に従い既存Ｗｅｂサイト内のリンクに対して重みを設定する手段を備えることを特徴とする。
また、前記第４の手段が、重みを設定したリンクを含むページをサイト構築装置の画面上に表示するとき、重みの大きさに応じてリンクの色を変えて表示する手段を備えることを特徴とする。
また、前記第４の手段が、あるページから別のページへリンクを辿って移動するときに、その経路上にある全リンクの重みの和が最小となる経路を所定のアルゴリズムを用いて計算することによって最短経路を求める手段を備えることを特徴とする。
また、前記第４の手段が、ホームページからアクセス権の設定されたデータページまでの最短経路を計算する手段を備えることを特徴とする。
また、前記第４の手段が、ホームページからアクセス権の設定された全てのデータページまでの最短経路上にないリンクを削除する手段を備えることを特徴とする。
また、前記第５の手段が、前記第４の手段によるリンク削除処理で残ったリンクからユーザ毎のメニュー形式の携帯端末向けページを生成する手段を備えることを特徴とする。
また、前記第５の手段が、予め設定された１ページに表示するリンク数の範囲を超えたページが存在する場合、複数のページに分割する手段を備えることを特徴とする。
また、前記第５の手段が、予め設定された１ページに表示するリンク数の範囲を下回る場合、類似度の高いページ同士を統合する手段を備えることを特徴とする。
また、前記ページ間の類似度を、別のページからそのページへのリンク、そのページから別のページへのリンクの一致度から計算する手段を備えることを特徴とする。
本発明に係るＷｅｂ歳とをユーザ毎に再構築するプログラムは、コンピュータを、
前記コンテンツデータベースから再構築対象のＷｅｂサイト情報を読出し、当該Ｗｅｂサイト情報のサイトマップを画面表示する第１の手段と、表示されたサイトマップ上においてコンテンツ管理者の指定操作を受付け、その指定操作に従い当該Ｗｅｂサイト内のページをホームページ、リンクページ、データページに分類する第２の手段と、分類した中のデータページにコンテンツ管理者の指定操作に従いユーザ毎のアクセス権を設定する第３の手段と、アクセス権を設定したユーザ毎のデータページに至る経路を除くサイト内の不要なリンクを削除する第４の手段と、第４の手段によるリンク削除処理で残ったリンクからユーザ毎の携帯端末向けページを作成する第５の手段として機能させることを特徴とする。